(57)【特許請求の範囲】
【請求項１】
屋内に突出した障害物の形状に応じて幕板を切欠し、レンジフード、換気口等を設置する場合の幕板の切欠端部に用いるエッジカバー材において、立片と底片からなるＬ型材の立片に底片と平行に係合部を形成して支持板とし、該支持板の立片と嵌合する下開口の弾性湾曲片を有し弾性湾曲片内部に係止部を形成しさらに弾性湾曲片の一方の下端を水平方向に延出し挟着片を形成して押圧板とし、支持板の底片上に幕板の切欠端部を位置せしめ支持板の立片に押圧板の下開口の弾性湾曲片を嵌合し係合部と係止部を弾性係止し幕板の切欠端部に挟着保持せしめるエッジカバー材。
【発明の詳細な説明】
【技術分野】
【０００１】
本発明は、屋内に突出した障害物の形状に応じて幕板を切欠し、レンジフード、換気口等を設置する場合の幕板の切欠端部に用いるエッジカバー材において、立片と底片からなるＬ型材の立片に底片と平行に係合部を形成して支持板とし、該支持板の立片と嵌合する下開口の弾性湾曲片を有し弾性湾曲片内部に係止部を形成しさらに弾性湾曲片の一方の下端を水平方向に延出し挟着片を形成して押圧板とし、支持板の底片上に幕板の切欠端部を位置せしめ支持板の立片に押圧板の下開口の弾性湾曲片を嵌合し係合部と係止部を弾性係止し幕板の切欠端部に挟着保持せしめるエッジカバー材に関するものである。
【背景技術】
【０００２】
従来から特許文献１に示される如く、Ｌ型アングル状の金属材を断面略三角形状に屈曲してなるエッジカバー材は知られている。このエッジカバー材は略三角形状に折り曲げられ、向き合った二つの片の間で幕板を挟み込むようにしてこの幕板の切欠端面に挿着されるものである。しかしながら、このエッジカバー材は幕板の切欠端面への挿着作業が面倒なものである。即ち、向き合った二つの片の間で幕板を挟み込むように幕板の切欠端面に挿着するにはエッジカバー材を幕板の切欠端面に向かって移動させる必要があるが、幕板の切欠端面と障害物（例えば梁）の間の隙間は狭く、作業場所も高い位置であり、挿着作業が面倒なものである。さらに、幕板の切欠端面はバリが生じたりして滑らかでなく、この点からも挿着作業が面倒なものである。
【特許文献１】特開２００５−３６９８７号公報  （図１及び図７）
【発明の開示】
【発明が解決しようとする課題】
【０００３】
本発明は上記特許文献１におけるエッジカバー材の欠点、即ち、幕板の切欠端面への挿着作業が幕板の切欠端面方向へ向かう移動作業により面倒なものとなっている点を解決したエッジカバー材を提供することをその課題とするものである。
【０００４】
詳細に述べれば、立片と底片からなるＬ型材の立片に底片と平行に係合部を形成して支持板とし、該支持板の立片と嵌合する下開口の弾性湾曲片を有し該弾性湾曲片内部に係止部を形成しさらに弾性湾曲片の一方の下端を水平方向に延出し挟着片を形成して押圧板とし、支持板の底片上に幕板の切欠端部を位置せしめ支持板の立片に押圧板の下開口の弾性湾曲片を嵌合し係合部と係止部を弾性係止し幕板の切欠端部に挟着保持せしめるエッジカバー材である。
【課題を解決するための手段】
【０００５】
上記課題を解決するために、本発明に係るエッジカバー材の構造は、請求項１に記載した如く、屋内に突出した障害物の形状に応じて幕板を切欠し、レンジフード、換気口等を設置する場合の幕板の切欠端部に用いるエッジカバー材において、立片と底片からなるＬ型材の立片に底片と平行に係合部を形成して支持板とし、該支持板の立片と嵌合する下開口の弾性湾曲片を有し弾性湾曲片内部に係止部を形成しさらに弾性湾曲片の一方の下端を水平方向に延出し挟着片を形成して押圧板とし、支持板の底片上に幕板の切欠端部を位置せしめ支持板の立片に押圧板の下開口の弾性湾曲片を嵌合し係合部と係止部を弾性係止し幕板の切欠端部に挟着保持せしめるものである。
【発明の効果】
【０００６】
請求項１に記載のエッジカバー材は、支持板と押圧板の二部材から構成され、支持板の底片上に幕板の切欠端部を位置せしめ支持板の立片に押圧板の下開口の弾性湾曲片を嵌合し係合部と係止部を弾性係止し幕板の切欠端部に保持されるために、幕板の切欠端部方向に向かって支持板と押圧板を移動させる作業がなく、作業が容易に行えるものである。つまり、支持板の底片上に幕板の切欠端部を位置せしめその幕板の切欠端部上に押圧板の挟着片を押圧する作業であるために、幕板の切欠端部に対して直角方向に移動させる作業であり、作業が容易に行えるものである。
【０００７】
しかも、幕板の切欠端部にバリが生じていても影響を受けることなく容易に作業が行えるものである。また、支持板と押圧板の二部材から構成される本発明のエッジカバー材では材質を種々選択することができる効果も有するものである。即ち、耐熱性を要求されない場合は支持板を金属製とし、押圧板を合成樹脂とすることもできるものであり、材質の選択幅は広く行えるものである。
【発明を実施するための最良の形態】
【０００８】
以下、本発明の実施形態について図面を参照して、詳細に説明する。図１は本発明の実施例であるエッジカバー材の分解斜視図、図２は図１に示す実施例の支持板と押圧板が結合した状態を示す側面図、図３は図１に示す実施例を幕板の切欠端部に挟着保持せしめた状態を示す断面図、図４は図１に示す実施例と異なった実施例を幕板の切欠端部に挟着保持せしめた状態を示す断面図である。図１及び図２において、１は支持板、２は押圧板である。
【０００９】
支持板１は立片３と底片４から構成されるＬ型材でなり、立片３には係合部５が形成されている。係合部５は隆起凸条で形成されており、底片４に平行に形成されている。係合部５は隆起凸条以外の形状であってもよいことは当然であり、例えば点状の凸部が線状に形成されていても良いものである。
【００１０】
押圧板２は下開口６の弾性湾曲片７を有し、弾性湾曲片７は内部に係止部８を形成し、さらに一方の下端を水平方向に延出して挟着片９を形成している。エッジカバー材は支持板１と押圧板２により構成されるもので、その結合は支持板１の立片３に押圧板２の弾性湾曲片７の下開口６を嵌合し、係合部５と係止部８を係止することにより行われる。弾性湾曲片７は弾性を有するために係合部５と係止部８の係止は離脱し難いものである。
【００１１】
図３は幕板の切欠端部１０を支持板１の底片４上に位置せしめ支持板１と押圧板２を結合し、底片４と挟着片９により挟着保持せしめたものである。底片４と挟着片９により幕板の切欠端部１０に挟着保持するとき支持板１と押圧板２は幕板の切欠端部１０に対して直角方向に移動させる作業を行うものである。
【００１２】
図４は押圧板１２の弾性湾曲片１３の係止部１４、１５を異なった高さに形成したもので、幕板の切欠端部１６の厚さが異なっても対応できるものである。１１は支持板である。
【図面の簡単な説明】
【００１３】
【図１】本発明にかかるエッジカバー材の実施例の分解斜視図。
【図２】図１に示す実施例の結合状態の側面図。
【図３】図１に示す実施例の使用状態の断面図。
【図４】本発明の異なった実施例の使用状態の断面図。
【符号の説明】
【００１４】
１        支持板
２        押圧板
３        立片
４        底片
５        係合部
６        下開口
７        弾性湾曲片
８        係止部
９        挟着片
１０      幕板の切欠端部
１１      支持板
１２      押圧板
１３      弾性湾曲片
１４      係止部
１５      係止部
１６      幕板の切欠端部
【図１】
0004725404.tif 000002
【図２】
0004725404.tif 000003
【図３】
0004725404.tif 000004
【図４】
0004725404.tif 000005